(57)【特許請求の範囲】
【請求項１】
ディスプレイ装置であって、
ディスプレイユニットと、
前記ディスプレイユニットを支持する支持台と、
柔軟性シートで形成され、前記ディスプレイユニットの後面と前記支持台を覆うカバーと、
を含み、
前記カバーは、前記支持台と離隔した状態で前記支持台を覆い、かつ、前記ディスプレイユニットの後面を覆う後面カバー部と、前記後面カバー部から一体に延び、内部に前記支持台が配置されるようにリング状の断面を有する支持台カバー部と、を含み、
前記カバーは、さらに、前記後面カバー部の外郭側に配置され、前記後面カバー部の外郭側を補強する補強部材を含み、
前記補強部材は、ディスプレイユニットのリヤケースの係止リブに連結可能であり、
前記補強部材は、前記係止リブが係合可能な係止ホールを含む、
ディスプレイ装置。
【請求項２】
ディスプレイ装置であって、
ディスプレイユニットと、
前記ディスプレイユニットを支持する支持台と、
柔軟性シートで形成され、前記ディスプレイユニットの後面と前記支持台を覆うカバーと、
を含み、
前記カバーは、前記支持台と離隔した状態で前記支持台を覆い、かつ、前記ディスプレイユニットの後面を覆う後面カバー部と、前記後面カバー部から一体に延び、内部に前記支持台が配置されるようにリング状の断面を有する支持台カバー部と、を含み、
前記カバーは、さらに、
水平面上に載置可能であり、前記支持台の下端が連結される受け台と、
前記受け台に回転可能に設置される回転部材と、
を含む、
ディスプレイ装置。
【請求項３】
前記カバーは、伸縮性材質を含む、請求項１または２に記載のディスプレイ装置。
【請求項４】
前記カバーは、ファブリックを含む、請求項１または２に記載のディスプレイ装置。
【請求項５】
前記支持台カバー部は、その内面が前記支持台と離隔する、請求項１または２に記載のディスプレイ装置。
【請求項６】
前記支持台は、前方上側に向かって傾斜するように延び、前記支持台カバー部は、前記後面カバー部から前記支持台の後方下側に向かって延びる、請求項１または２に記載のディスプレイ装置。
【請求項７】
前記ディスプレイユニットは、前記支持台の上端に、水平軸の周りに前後方向に回転可能に設置される、請求項１または２に記載のディスプレイ装置。
【請求項８】
水平面に載置可能であり、前記支持台の下端が連結される受け台をさらに含み、
前記支持台の下端は、前記受け台に、水平軸の周りに前後方向に回転可能に設置される、請求項１または２に記載のディスプレイ装置。
【請求項９】
水平面に載置可能であり、前記支持台の下端が連結される受け台をさらに含み、
前記支持台の下端は、前記受け台に、垂直軸の周りに左右方向に回転可能に設置される、請求項１または２に記載のディスプレイ装置。
【請求項１０】
前記支持台は、中空のシリンダと、前記中空のシリンダに移動可能に設置されるプランジャーとを含む、請求項１または２に記載のディスプレイ装置。
【請求項１１】
前記カバーは、前記支持台カバー部の下端に配置されるリング状のワイヤを含み、
前記回転部材は、前記ワイヤが安着される安着溝を含む、請求項２に記載のディスプレイ装置。
【請求項１２】
前記安着溝は、円環状を含む、請求項１１に記載のディスプレイ装置。
【発明の詳細な説明】
【技術分野】
【０００１】
本発明の実施例は、画面が表示されるディスプレイユニットを備えたディスプレイ装置に関する。
【背景技術】
【０００２】
一般に、ディスプレイ装置は、画像が表示されるディスプレイユニットを含む装置であって、このようなディスプレイ装置にはテレビやモニタが含まれる。
【０００３】
このようなディスプレイ装置は、通常、画面が表示されるディスプレイユニットと、机の上面などのような水平面上に載置されてディスプレイユニットを支持するスタンドとを含む。
【０００４】
このようなディスプレイ装置は、各構成員間の協業が容易になされ得るように構成されている開放型事務空間において使用することができるが、開放型事務空間において、ディスプレイ装置は前方側だけでなく後方側も人々に容易に露出される。
【０００５】
したがって、最近にはディスプレイ装置の設計において、ディスプレイ装置の後方側の外観の重要性が増加している。
【発明の概要】
【発明が解決しようとする課題】
【０００６】
実施例の一側面は、より容易にディスプレイ装置の後方側の外観を向上させることができるディスプレイ装置を提供する。
【課題を解決するための手段】
【０００７】
実施例によれば、ディスプレイ装置は、ディスプレイユニット、支持台及びカバーを含む。ディスプレイユニットは画像を表示し、支持台はディスプレイユニットを支持することができる。カバーは、柔軟性シートで形成され、前記支持台と前記ディスプレイユニットの後面を覆うことができる。カバーは、前記支持台から離隔した状態で前記支持台を覆うことができる。
【０００８】
また、前記カバーは、伸縮性材質で形成されるとよい。また、前記カバーは、ファブリックで形成されるとよい。
【０００９】
また、前記カバーは、後面カバー部と支持台カバー部を含む。前記後面カバー部は、前記ディスプレイユニットの後面を覆うことができる。前記支持台カバー部は、内部に前記支持台が配置されるようにリング状の断面を有し、前記後面カバー部から一体に延びることができる。
【００１０】
また、前記支持台カバー部は、その内面が前記支持台と離隔することができる。
【００１１】
また、前記支持台は、前方上側に向かって傾斜するように延び、前記支持台カバー部は、前記後面カバー部から後方下側に向かって傾斜するように延びることができる。
【００１２】
また、前記ディスプレイユニットは、前記支持台の上端に、水平軸の周りに前後方向に回転可能に設置されたり、連結されるとよい。
【００１３】
前記ディスプレイ装置は、受け台をさらに含むことができる。また、前記支持台の下端は、前記受け台に、水平軸の周りに前後方向に回転可能に設置されるとよい。
【００１４】
また、前記支持台の下端は、前記受け台に、垂直軸の周りに左右方向に回転可能に設置されるとよい。
【００１５】
また、前記支持台は、中空のシリンダと、前記シリンダに移動可能に設置されるプランジャーとを含むことができる。
【００１６】
また、前記ディスプレイユニットは、前記ディスプレイユニットの後面を形成するリヤケースを含むことができる。前記カバーは、前記後面カバー部の外郭側に配置され、前記後面カバー部の外郭側を補強する補強部材を含むことができる。前記リヤケースは、その外郭側に設けられて、前記補強部材が係合したり、連結されたりすることができる係止リブを含むことができる。前記補強部材は、前記係止リブが係合することができる係止ホールを含むことができる。
【００１７】
また、前記ディスプレイ装置は、受け台と回転部材をさらに含むことができる。前記受け台は、水平面に載置されて、前記支持台の下端が連結され得る。回転部材は、前記受け台に回転可能に設置されるとよい。前記カバーは、前記支持台カバー部の下端に配置されるリング状のワイヤを含み、前記回転部材は、前記ワイヤが安着される安着溝を含むことができる。
【００１８】
また、前記安着溝は、円環状に形成されるとよい。
【００１９】
実施例によれば、ディスプレイ装置は、ディスプレイユニット、支持台及びカバーを含む。ディスプレイユニットは画像を表示することができる。前記受け台は、水平面上に載置されるとよい。前記支持台は、上下に延びて、下端は前記受け台に連結され、上端は前記ディスプレイユニットに連結されるとよい。前記カバーは、柔軟性シートで形成され、前記ディスプレイユニットの後面及び前記支持台を覆うことができる。
【発明の効果】
【００２０】
上述したように、ディスプレイユニットの後面は、カバーにより覆われるようになっているので、カバーを通じてディスプレイユニットの後方側の外観を容易に変更及び向上させることができる。
【図面の簡単な説明】
【００２１】
【図１】実施例に係るディスプレイ装置の斜視図である。
【図２】実施例に係るディスプレイ装置の背面斜視図である。
【図３】実施例に係るディスプレイ装置の分解斜視図である。
【図４】図１のＡ−Ａ線に沿う断面図である。
【図５】図１のＢ−Ｂ線に沿う断面図である。
【図６】実施例に係るディスプレイ装置において、ディスプレイユニットの前後方向の回転を示す側面図である。
【図７】実施例に係るディスプレイ装置において、ディスプレイユニットの昇降動作を示す側面図である。
【図８】実施例に係るディスプレイ装置において、ディスプレイユニットの左右方向の回転を示す平面図である。
【図９】実施例に係るディスプレイ装置において、支持台カバー部と回転部材との結合を示す分解斜視図である。
【図１０】実施例に係るディスプレイ装置において、後面カバー部とリヤケースとの結合を示す分解斜視図である。
【発明を実施するための形態】
【００２２】
以下では、実施例に係るディスプレイ装置を図面を参照して説明する。
【００２３】
図１及び図２に示すように、ディスプレイ装置１は、画像が表示されるディスプレイユニット１０と、机の上面などの水平面に載置されて、ディスプレイユニット１０を支持するスタンド２０と、ディスプレイユニット１０の後面及び後述する支持台２２を覆うカバー３０と、を含む。
【００２４】
ディスプレイユニット１０は、図３に示すように、ディスプレイユニット１０の外郭を形成するメインフレーム１１と、メインフレーム１１の内側に配置され、画像が表示されるディスプレイパネル１２と、透明材質で形成され、ディスプレイパネル１２の前面を覆うガラスパネル１３と、ガラスパネル１３が固定されるガラスブラケット１４と、ディスプレイパネル１２の後方側に配置され、ディスプレイパネル１２の後方側を覆うリヤケース１５と、ディスプレイパネル１２が固定され、ガラスブラケット１４及びリヤケース１５が結合される結合フレーム１６と、を含む。
【００２５】
メインフレーム１１は、軽く且つ強度が大きいアルミニウムのような材質で形成されて、ディスプレイユニット１０の外郭を形成する。
【００２６】
ガラスブラケット１４は、ガラスパネル１３の外郭側と対応するように四角リング状に形成されて、ガラスパネル１３の後面の外郭側に付着される。
【００２７】
ガラスブラケット１４は、図４及び図５に示すように、結合フレーム１６との結合のために、その後面から後方側に突出した複数の係止フック１４ａを含む。
【００２８】
リヤケース１５は、結合フレーム１６との結合のために、その外郭から前方側に突出した複数の結合部１５ａを含み、複数の結合部１５ａには結合溝１５ｂがそれぞれ凹状に形成される。
【００２９】
結合フレーム１６は、メインフレーム１１の内面及びディスプレイパネル１２の外面と対応する四角リング状に形成されて、メインフレーム１１の内側に固定され、結合フレーム１６の内側にはディスプレイパネル１２が設置される。
【００３０】
結合フレーム１６は、係止フック１４ａと対応する位置に設けられ、係止フック１４ａが係合する複数の係止段部１６ａと、結合溝１５ｂと対応する位置に設けられ、結合溝１５ｂに挿入されて係合する結合突起１６ｂとを含み、ガラスブラケット１４が結合フレーム１６の前方側に結合され、リヤケース１５が結合フレーム１６の後方側に結合される。
【００３１】
スタンド２０は、図３に示すように、ディスプレイ装置１が載せられる机の上面のような水平面に支持される受け台２１と、上下に延びて、上端はディスプレイパネル１２の後方側に連結され、下端は受け台２１に連結される支持台２２と、を含む。実施例において支持台２２は、前方上側に向かって傾斜するように延びている。
【００３２】
実施例においてディスプレイユニット１０は、支持台２２を通じて、水平軸に沿って前後方向に回転し、昇降移動し、そして、垂直軸に沿って左右に回転できるようになっている。
【００３３】
ディスプレイユニット１０が前後に回転できるように、ディスプレイユニット１０は、図６に示すように、支持台２２の上端に前後方向に回転可能に設置される。したがって、ディスプレイユニット１０は前後方向に回転することができる。
【００３４】
また、支持台２２は、図７に示すようにディスプレイユニット１０が昇降できるように、その長さが伸縮可能である。そのために、支持台２２は、円筒状に形成されたシリンダ２２ａと、シリンダ２２ａに移動可能に設置されたプランジャー２２ｂとを含む。シリンダ２２ａは、その下端が受け台２１に設置され、プランジャー２２ｂは、開放されたシリンダ２２ａの上端を通じてシリンダ２２ａに移動可能に設置され、上端がディスプレイユニット１０の後方側に連結される。したがって、プランジャー２２ｂの移動により支持台２２の全長さが伸縮し、支持台２２の長さの変更によりディスプレイユニット１０が上下に移動する。実施例において支持台２２は、前方上側に向かって傾斜するように配置されているので、ディスプレイユニット１０は、支持台２２と対応する角度で傾斜して昇降する。
【００３５】
ディスプレイユニット１０が左右に回転可能なようにするために、支持台２２は、図８に示すように、受け台２１に回転可能に設置される。そのために、受け台２１は、図９に示すように、円形の回転部材２３と、受け台２１に固定され、回転部材２３を回転可能に支持する回転ガイド２４とを含み、上述した支持台２２の下端は、回転部材２３に固定設置される。実施例において回転ガイド２４は、その内周面に凹状に設けられ、円周方向に延びるガイド溝２４ａを含み、回転部材２３は、その外周面に凸状に設けられ、円周方向に延びてガイド溝２４ａ内に移動可能に収容されるガイド突起２３ａを含む。実施例において回転ガイド２４は、それぞれ半円状に形成された二つの分割ガイド２４Ｆ，２４Ｓからなり、二つの分割ガイド２４Ｆ，２４Ｓは、互いに結合して、二つの分割ガイド２４Ｆ，２４Ｓの間に回転部材２３が回転可能な状態で設置される。
【００３６】
カバー３０は、その形状を容易に変形できる柔軟性シートで形成される。実施例においてカバー３０は、ファブリック材質からなる。カバー３０は、図２に示すように、ディスプレイユニット１０の後面を覆う後面カバー部３１と、後面カバー部３１から一体に延びて、支持台２２の外側を覆う支持台カバー部３２とを含む。したがって、カバー３０によりディスプレイユニット１０の後方側及び支持台２２が覆われる。
【００３７】
カバー３０は、上述したように、ファブリックからなり、ファブリックは、染色やプリンティングなどを通じて多様な色相だけでなく、複雑なパターンも容易に適用することができる。したがって、カバー３０を通じてディスプレイ装置１の後方側のデザインを容易に向上させることができる。
【００３８】
実施例においてカバー３０は、ディスプレイユニット１０と対応するように四角形状に形成され、ディスプレイユニット１０の後方側に設置され、ディスプレイユニット１０の後方側を覆う後面カバー部３１と、後面カバー部３１から一体に延び、支持台２２と対応するように後方下側に向かって傾斜するように延びて支持台２２の外側を覆う支持台カバー部３２と、を含む。
【００３９】
カバー３０をディスプレイ装置１に設置するために、後面カバー部３１の外郭側には、図１０に示すように、後面カバー部３１の外郭側を補強する補強部材３３が設置され、支持台カバー部３２の下端には、図９に示すように、リング状にベンディングされたワイヤ３４が設置される。補強部材３３は、後面カバー部３１の外郭を支持できるようにカバー３０に比べて大きい強度を有する材質で形成され、ディスプレイユニット１０への取り付けが容易になされるように柔軟性を有する材質で形成される。実施例では、ディスプレイユニット１０の４つの面と対応するように４つの補強部材３３を備える。
【００４０】
補強部材３３は、リヤケース１５に設置される。そのために、リヤケース１５は、その外郭側に設けられて、補強部材３３に係合する複数の係止リブ１５ｃを含み、補強部材３３は、係止リブ１５ｃに係合する係止ホール３３ａを含む。また、補強部材３３には、上述した結合部１５ａが貫通して結合突起１６ｂと結合できるようにする貫通孔３３ｂが設けられる。
【００４１】
支持台カバー部３２の下端は、ワイヤ３４を通じて回転部材２３に設置される。ワイヤ３４の設置のために、回転部材２３の上面の外郭側には円環状の安着溝２３ｂが設けられ、安着溝２３ｂ内にワイヤ３４と共に支持台カバー部３２の下端が安着される。実施例において安着溝２３ｂは、回転部材２３と対応するように円環状に形成されているので、支持台カバー部３２の下端も安着溝２３ｂの形状と対応する形状に変更される。したがって、支持台カバー部３２は、略円環状に変形された状態になる。
【００４２】
また、安着溝２３ｂは、支持台２２に比べて大きい直径を有するように形成されて、支持台カバー部３２が支持台２２と離隔した状態となるようにする。これは、支持台カバー部３２が安着溝２３ｂと対応する形状に変形するようにするためである。
【００４３】
上述したように、後面カバー部３１の外郭側をリヤケース１５に設置し、支持台カバー部３２の下端を回転部材２３に設置すると、ディスプレイユニット１０の回転及び昇降時に、カバー３０がディスプレイユニット１０の回転及び昇降を妨げることがある。したがって、カバー３０は、ディスプレイユニット１０の回転及び昇降により変形できるように、伸縮可能な材質で形成する。すなわち、カバー３０は、伸縮性ファブリックからなる。
【００４４】
実施例においてカバー３０は、ディスプレイユニット１０の後方側及び支持台２２を覆うようになっているが、これに限定されず、ディスプレイユニット１０の後方側のみを覆うように形成することも可能である。
【００４５】
実施例においてカバー３０は、伸縮性ファブリックからなっているが、これに限定されず、ゴムなどのように弾性変形し、伸縮可能な多様な材質をシート状に加工してカバーを作製することも可能である。
【００４６】
実施例においてディスプレイユニット１０は、リヤケース１５を含むが、これに限定されず、リヤケース１５に対応する構成なしに、ディスプレイパネル１２の後方側が柔軟性材質のカバー３０により遮られるようにすることも可能である。ただし、このような場合、カバー３０は、安全のために、防災処理されたファブリックを使用することが望ましい。
【００４７】
実施例においてディスプレイユニット１０は、前後回転、左右回転及び昇降できるようになっているが、これは一実施例に過ぎず、前後回転、左右回転及び昇降のいずれか一つまたは二つを選択的に行うようにすることも可能である。
【００４８】
また、実施例において支持台２２は、下端がスタンド２０に固定設置されるが、これに限定されず、支持台２２の下端がスタンドに前後方向に回転可能に設置されるようにすることも可能である。
【００４９】
また、実施例においてディスプレイユニット１は、受け台２１と支持台２２を通じて机などの上面に載置されるようになっているが、これに限定されず、受け台に対応する構成なしに、支持台を通じてディスプレイ装置が壁に取り付けられるようにすることも可能である。
【００５０】
また、実施例において安着溝２３ｂは、円環状に形成されて、支持台カバー部３２が円環状を有するようになるが、これに限定されず、安着溝２３ｂの形状を変更して、支持台カバー部３２が多様な形状に形成されるようにすることも可能である。
【００５１】
実施例は、上記に記載した実施例に限定されるものではなく、実施例の思想を逸脱しない範囲内で多様に修正及び変形が可能であるということは、この技術の分野における通常の知識を有する者にとって自明である。したがって、修正例または変形例は特許請求の範囲に属するものと解さねばならない。
【符号の説明】
【００５２】
１      ディスプレイ装置
１０    ディスプレイユニット
１１    メインフレーム
１２    ディスプレイパネル
２０    スタンド
２１    受け台
２２    支持台
２３    回転部材
３０    カバー
３１    後面カバー部
３２    支持台カバー部
３３    補強部材
３４    ワイヤ
【図１】
0006296680.tif 000002
【図２】
0006296680.tif 000003
【図３】
0006296680.tif 000004
【図４】
0006296680.tif 000005
【図５】
0006296680.tif 000006
【図６】
0006296680.tif 000007
【図７】
0006296680.tif 000008
【図８】
0006296680.tif 000009
【図９】
0006296680.tif 000010
【図１０】
0006296680.tif 000011